(57)【要約】      （修正有）【課題】ライトボディとライト本体の可動スペースを拡大する伸縮照明のレンズ構造を提供する。【解決手段】ライト本体の先端より内側に反射部を凹設し、該反射部の内壁を円錐面にし、該円錐面は内側に向けて次第に直径が小さくなる。円錐面の内部中心に凸レンズを設置する。ライト本体の外周に傾斜錐部を設置し、該傾斜錐部はライト本体の後端に向けて次第に直径が小さくなる形状である。該傾斜錐部の端部に一つの縦切面を設置し、該縦切面の中央に収納穴を設ける。該収納穴の厚みをｄ、ライトボディの厚みをＤ、収納穴の最大の長さをｌ、アルミ基板の長さをＬとし、それぞれｄ≧Ｄ，ｌ＞１とする。【選択図】図１
0003168333.tif 000002
【実用新案登録請求の範囲】
【請求項１】
ライト本体を含み、
該ライト本体の先端より内側に反射部を凹設し、該反射部の内壁を円錐面にし、該円錐面は内側に向けて次第に直径が小さくなり、円錐面の内部中心に凸レンズを設置し、
ライト本体の外周に傾斜錐部を設置し、該傾斜錐部はライト本体の後端に向けて次第に直径が小さくなる形状であり、該傾斜錐部の端部に一つの縦切面を設置し、該縦切面の中央に収納穴を設け、及び、
該収納穴の厚みをｄ、ライトボディの厚みをＤ、収納穴の最大の長さをｌ、アルミ基板の長さをＬとし、それぞれd≧D，L＞lとすることを特徴とする伸縮照明のレンズ構造である。
【請求項２】
前記収納穴の形状は円錐状であり、該直径は開口より内側に向けて次第に小さくすることを特徴とする請求項１記載の伸縮照明のレンズ構造である。
【考案の詳細な説明】
【技術分野】
【０００１】
本考案は伸縮照明のレンズ構造に関し、特に大きな面積のアルミ基板を収納でき、及びライトボディとライトシェードの可動スペースを拡大できる伸縮照明のレンズ構造に関する。
【背景技術】
【０００２】
伸縮照明は現在最も市場で出回っている照明器具である。例えば伸縮タイプの懐中電灯は、可動する二つのライトチューブを使って、長さを変えることができる。ライトチューブの一端にライトボディを設置し、別端のライトボディの先端に対応して、一つの凸レンズを設置する。ライトチューブ間の伸縮により、ライトボディと凸レンズの距離を変えることで、光は散光或いは集光となるため、多くの関連業者が伸縮照明の構造を案出している。
【０００３】
最も重要なのは、凸レンズとライトボディの設置状態である。従来技術の伸縮照明は、前端の中央が凸レンズであり、後端の球状部分が透明のランプシェードである。ライトボディと該透明ランプシェードの球状部位との距離の変化を通じて、該ライトボディと透明ランプシェードの球状部位の距離が遠い場合、光線は透明ランプシェードの球状部位から屈折して入り、更にランプシェードの縁で反射して、凸レンズ及びその回りによって光が屈折し、集光の効果が現れる。ライトボディと透明ランプシェードの球状部位の距離が近い場合、該屈折と反射する光は散光である。
【０００４】
従来技術の伸縮照明で光の散光と集光の効果を得ることはできるが、ライトボディを通電して発光することにより生じる熱は相当なものであり、アルミ基板をライトボディと組み合わせることが多く、アルミ基板を通じて、ライトボディに発生する熱を放出する。しかし、前記の透明ランプシェードの球状部位に、ライトボディが近づけるスペースは限られているため、該球状部位に小さな穴を開けたとしても、一部のライトボディしか入れることができず、アルミ基板がライトシェードとぶつかりやすくなる。或いは小さな面積のアルミ基板を設置すれば、前記のスペース不足の問題を克服することはできるが、ライトボディが発生する熱を十分に放出することができない。或いはドイツの特許申請案第ＤＥ ２０ ２００８ ０１４ ８７０ Ｕ1号のように、ランプシェードの後端をやや削り、ライトボディのみを入れられる小さな溝を設置したとしても、小さな面積のアルミ基板しか使用できないため、更なる改善が必要であった。
【先行技術文献】
【特許文献】
【０００５】
【特許文献１】特開２０００−１１３７１３号公報
【考案の概要】
【考案が解決しようとする課題】
【０００６】
前記公知構造の欠点を解決するため、本考案はライトボディ及びアルミ基板がライトシェードとの可動スペースを拡大できる伸縮照明のレンズ構造を提供することを主な課題とする。
【課題を解決するための手段】
【０００７】
上述の目的を解決するために、本考案は伸縮照明のレンズ構造を提供するものである。本考案に含まれるのはライト本体であり、該ライト本体の先端より内側に反射部を凹設し、該反射部の内壁を円錐面にし、該円錐面は内側に向けて次第に直径が小さくなる。円錐面の内部中心に凸レンズを設置する。ライト本体の外周に傾斜錐部を設置し、該傾斜錐部はライト本体１の後端に向けて次第に直径が小さくなる形状である。該傾斜錐部の端部に一つの縦切面を設置し、該縦切面の中央に収納穴を設ける。該収納穴の厚みをｄ、ライトボディの厚みをＤ、収納穴の最大の長さをｌ、アルミ基板の長さをＬとし、それぞれd≧D，L＞lである。
【０００８】
本考案の収納穴の形状は円錐状であり、該直径は開口より内側に向けて次第に小さくする。
【０００９】
本考案は従来技術と異なるのは、後端の形状である。該縦切面によりライトボディ及びアルミ基板の可動スペースを拡大できる。ライトボディは収納穴に入れることができ、比較的大きな面積のアルミ基板を収納穴に近づけることができるため、ライトボディはよりライト本体に近づくことができる。大きな面積のアルミ基板を使用できると、実質的に良い光の散光効果を得られるほか、有効的にライトボディの通電時に発生するエネルギーを放熱することができる。
【考案の効果】
【００１０】
従来技術と異なり、本考案は後端に縦切面を設置し、該縦切面の中央に収納穴を設け、ライトボディを収納穴に入れ大きなアルミ基板を収納穴に近づけることができるため、実質的に良い光の散光効果を得られるほか、有効的にライトボディの通電時に発生するエネルギーを放熱することができる。
【図面の簡単な説明】
【００１１】
【図１】本考案の立体外観略図である。
【図２】本考案の別の角度から見た立体図である。
【図３】本考案のライトボディをライト本体から遠ざける略図である。
【図４】本考案のライトボディをライト本体に近づける略図である。
【考案を実施するための形態】
【００１２】
図１及び図２に示すように、本考案の伸縮照明レンズの構造に含まれるのはライト本体１である。該ライト本体１の先端より内側に反射部１１を凹設し、該反射部１１の内壁を円錐面１１１にし、該円錐面１１１は内側に向けて次第に直径が小さくなる。図１、図２に示すように、該ライト本体１の先端より内側に反射部１１を凹設し、該反射部１１の内壁の円錐面１１１は傾斜状を成し、反射部１１の開口から内側に向けて次第に直径が小さくなる形態である。また、円錐面１１１の内部中心に凸レンズ１１２を設置し、ライト本体１の先端に光を反射するエリアを構成し、凸レンズ１１２、円錐面１１１を設置することで、光が屈折する際の光の散光或いは集光の効果があり、光線がストレートに放つだけでなく、凸レンズ１１２と円錐面１１１の屈折、反射を通じて、反射部１１から外に射出する。
【００１３】
ライト本体１の外周に傾斜錐部１２を設置し、該傾斜錐部１２はライト本体１の後端に向けて次第に直径が小さくなる形状である。図１及び図２に示すように、該ライト本体１の後側に傾斜錐部１２を設置し、ライト本体１の先端に反射部１１の凹設を形成する。後側は傾斜錐部１２を構成し、且つ該傾斜錐部１２はライト本体１の後端に向けて、次第に直径が小さくなる形状であるため、光線がライト本体１の後端から入ると、光線は傾斜錐部１２の内面に入り、円錐面１１１或いは凸レンズ１１２まで反射し、屈折して放つ。傾斜錐部１２はライト本体１の後端に向けて次第に直径が小さくなる形状とする目的とは、光線の反射方向が直接ライト本体１の外に照らすのではなく、確実に円錐面１１１、凸レンズ１１２に反射するためである。
【実施例】
【００１４】
該傾斜錐部１２の端部に一つの縦切面１２１を設置し、該縦切面１２１の中央に収納穴１２２を設ける。該収納穴１２２の厚みをｄ、ライトボディ２の厚みをＤ、収納穴１２２の最大の長さをｌ、アルミ基板３の長さをＬとする。それぞれd≧D，L＞lである。また、該収納穴１２２は円錐状であり、該直径は開口から内側に向けて次第に小さくなる(これは本考案を実施する際のベストな比例であり、ライトボディ２が確実に収納穴１２２に入れることができると同時に、アルミ基板３を更に収納穴１２２に近づけるようにするのが主な目的である。) 図１、図２に示すように、該傾斜錐部１２の端を垂直に切断して縦切面１２１を構成し、該縦切面１２１の中央に収納穴１２２を設ける部分が、従来技術の後端が球状構造である形態と異なる。該縦切面１２１によりライトボディ２及びアルミ基板３の可動スペースを拡大できる。ライトボディ２は収納穴１２２に入れることができ、比較的大きな面積のアルミ基板３を収納穴１２２に近づけることができるため、ライトボディ２はよりライト本体１に近づくことができる。大きな面積のアルミ基板３を使用できると、実質的に良い光の散光効果を得られるほか、有効的にライトボディ２の通電時に発生するエネルギーを放熱することができる。
【００１５】
図３に示すのは、該ライトボディ２とアルミ基板３をライト本体１から離した形態である(伸縮照明のライトボディ２をライト本体に近づける、離す技術は従来のものである。また、従来技術の内容は既に伸縮懐中電灯の例を挙げたため、一般の伸縮照明が実施できる構造が分かり、本考案も多種の伸縮照明に実施できることも分かる。本考案の案出者が課題とするのは、ライト本体１の構造に、ライトボディ２とライト本体１の可動スペースを拡大することであるため、伸縮照明の具体的な技術及びその他の内容はここで言及しない。) ライトボディ２が発する光線はライト本体１の後端から収納穴１２２内に入り、光線は傾斜錐部１２の内面により円錐面１１１及び凸レンズ１１２の方向に反射する。この時反射部１１から出る光線の反射と屈折は、集光の状態となる。
【００１６】
(光が光密度の高い媒体(屈折率n1が比較的大きい媒体)から光密度の低い媒体(屈折率n2が比較的小さい媒体)に放つとき(例えば水から空気中に放つ)、入る角度θ1がある角度θcと等しい場合、屈折光線は屈折インターフェイスの接線に沿う。即ち屈折角度θ2=90度の時、sinθ2=1からsinθc= sinθ1= n2/n1。と算出できる。しかし、入る角度θ1がθcの値より大きい場合、入射角の正弦sinθ1＞n2/n1はsinθ2＞1と算出できる。これは数学的に意味のないものであるため、この時、屈折光はなく、反射光のみ存在し、全反射の状況が発生する。全反射が発生する最小の入射角θcは臨界角であり、それの値は二種類の媒質の屈折率の比の値による。即ちθc=sin-1(n2/n1)である。本考案のライトボディ２が発する光線は、ライト本体１の後方から傾斜錐部１２の内面に放つのは、この学理を運用したものであり、主に全反射に近い状況で発生する。)
【産業上の利用可能性】
【００１７】
図４に示すのは、該ライトボディ２、アルミ基板３をライト本体１に近づけた形状である。本実施例では、該ライトボディ２を収納穴１２２に入れると、該アルミ基板３はかなり収納穴１２２に近づく。該ライトボディ２が放つ光線は収納穴１２２からライト本体１の先端に向ける。光線は直接凸レンズ１１２にあたり、反射部１１に向けて射出する。このときの光線が屈折して放つ光線は散光である。特に、該縦切面１２１および収納穴１２２によりライトボディ２とアルミ基板３の可動スペースを拡大したため、ライトボディ２が凸レンズ１１２に近づけるほど、該散光効果が明らかとなる。アルミ基板３がライト本体１との可動スペースが拡大したのであれば、比較的大きい面積のアルミ基板３を使用することができ、従来技術のようにアルミ基板３の面積を縮小する必要がない。また、比較的大きい面積のアルミ基板３は、有効的にライトボディ２が発する熱を放出することができるため、ライト本体１の後端の温度が適切に下げられ、伸縮照明内が高温になるゆえに正常の照明或いはパーツの寿命に影響を及ぼすのを防止することができる。
【符号の説明】
【００１８】
１  ライト本体
１１  反射部
１１１  円錐面
１１２  凸レンズ
１２    傾斜錐部
１２１  縦切面
１２２  収納穴
２  ライトボディ
３  アルミ基板
【図１】
0003168333.tif 000003
【図２】
0003168333.tif 000004
【図３】
0003168333.tif 000005
【図４】
0003168333.tif 000006